(57)【特許請求の範囲】
【請求項１】
ビームスプリッタと、
前記ビームスプリッタを保持するホルダと、
前記ビームスプリッタ及び前記ホルダの間に配置される第１スペーサとを備え、
前記第１スペーサは、前記ビームスプリッタの周縁部に対向しており、その一部が折り曲げられて構成される３つの折曲部により、前記ビームスプリッタを３点支持することを特徴とするビームスプリッタ組立品。
【請求項２】
前記第１スペーサには、前記３つの折曲部に対応付けて、当該第１スペーサの一部を折り曲げる際の折曲位置を表す第１折曲補助線が形成されていることを特徴とする請求項１に記載のビームスプリッタ組立品。
【請求項３】
前記第１スペーサは、前記ビームスプリッタの周縁部に対向する円環状の第１本体を有し、前記第１本体の中心に対して周方向に等間隔で前記３つの折曲部が形成されていることを特徴とする請求項１に記載のビームスプリッタ組立品。
【請求項４】
前記ホルダに保持される補償板と、
前記補償板及び前記ホルダの間に配置される第２スペーサとをさらに備え、
前記第２スペーサは、前記補償板の周縁部に対向しており、その一部が折り曲げられて構成される少なくとも１つの折曲部により、前記補償板を光軸に対して傾斜させて支持することを特徴とする請求項１に記載のビームスプリッタ組立品。
【請求項５】
前記第２スペーサには、前記少なくとも１つの折曲部に対応付けて、当該第２スペーサの一部を折り曲げる際の折曲位置を表す第２折曲補助線が形成されていることを特徴とする請求項４に記載のビームスプリッタ組立品。
【請求項６】
前記第２スペーサは、前記補償板の周縁部に対向する円環状の第２本体を有し、前記第２本体の中心に対する周方向に前記少なくとも１つの折曲部が形成されていることを特徴とする請求項４に記載のビームスプリッタ組立品。
【発明の詳細な説明】
【技術分野】
【０００１】
本発明は、ビームスプリッタ及び当該ビームスプリッタを保持するホルダを備えるビームスプリッタ組立品に関するものである。
【背景技術】
【０００２】
従来より、ＦＴ−ＩＲ（フーリエ変換赤外分光光度計）などの分光光度計では、ビームスプリッタが用いられている。ＦＴ−ＩＲでは、光源から出射した光が、ビームスプリッタを介して固定鏡及び移動鏡で反射する。そして、固定鏡で反射した光、及び、移動鏡で反射した光が干渉し、干渉した光が試料に向けて照射される（例えば、下記特許文献１参照）。
このようなビームスプリッタは、通常、ホルダなどに保持されることで一定位置に固定されている。【０００３】
図７は、従来のビームスプリッタ組立品１００の構成を示した斜視図である。図８は、ビームスプリッタ組立品１００の分解斜視図である。ビームスプリッタ組立品１００は、ビームスプリッタ１０１及びホルダ１０２などを含む一体的なユニットであって、ＦＴ−ＩＲなどに用いられている。
ビームスプリッタ組立品１００は、ビームスプリッタ１０１と、ホルダ１０２と、スペーサ１０３と、補償板１０４と、１対の固定板１０５とを備えている。【０００４】
ビームスプリッタ１０１は、円板状に形成されている。
ホルダ１０２は、所定の厚み（ビームスプリッタ１０１の厚みよりも大きい厚み）を有する平板状に形成されている。ホルダ１０２の中央部には、開口１０２ａが形成されている。ホルダ１０２における内周面（開口１０２ａが形成された部分の内周面）には、フランジ１０２ｂが設けられている。
スペーサ１０３は、円環状に形成される環状部１０３ａと、環状部１０３ａの内縁部から径方向内側に突出する３つの突出片１０３ｂとを備えている。
補償板１０４は、円板状に形成されている。           
各固定板１０５は、円環状に形成されている。【０００５】
ビームスプリッタ組立品１００を組み立てる際には、ホルダ１０２の開口１０２ａの一方側（図８の左方側）からビームスプリッタ１０１が内方に挿入されるとともに、ホルダ１０２の開口１０２ａの他方側（図８の右方側）から補償板１０４が内方に挿入される。このとき、フランジ１０２ｂとビームスプリッタ１０１との間には、スペーサ１０３が配置される。この状態で、ホルダ１０２の両側（図８の左右方向両側）に対して１対の固定板１０５が固定されることで、ビームスプリッタ１０１及び補償板１０４のそれぞれが固定板１０５によって押圧されて、ホルダ１０２に固定される。【０００６】
一般的に、ビームスプリッタは、反射光の波面が乱れないように、使用する波長の１／１０以下の面精度が必要とされる。そのため、ビームスプリッタ１０１は、高い精度で加工されている。一方、ホルダ１０２は、切削加工などのコストの低い方法で加工されている。そのため、ホルダ１０２に対してビームスプリッタ１０１を直接固定させる（押さえつける）と、ビームスプリッタ１０１がフランジ１０２ｂの加工精度の影響を受けて変形し、その面精度が低下してしまう。【０００７】
このような点から、ビームスプリッタ組立品１００では、上記したように、フランジ１０２ｂとビームスプリッタ１０１との間に、スペーサ１０３が介在されている。そのため、ホルダ１０２の加工精度が低い場合であっても、ビームスプリッタ１０１を変形させることなく、ホルダ１０２に対して固定できる。
図９は、ビームスプリッタ１０１の厚み方向に見たときにおける、ビームスプリッタ１０１及びスペーサ１０３の配置関係を概略的に示した図である。【０００８】
ビームスプリッタ１０１は、ホルダ１０２に固定された状態において、スペーサ１０３の３つの突出片１０３ｂに当接している。すなわち、ビームスプリッタ１０１は、３点で支持される状態で固定されている。このように、ビームスプリッタ１０１を３点で支持することで、ビームスプリッタ１０１がホルダ１０２（フランジ１０２ｂ）の面精度の影響を受けて変形することを抑制でき、かつ、ビームスプリッタ１０１を安定した状態に保つことができる。
【先行技術文献】
【特許文献】
【０００９】
【特許文献１】実用新案登録第３１７４５７３号公報
【発明の概要】
【発明が解決しようとする課題】
【００１０】
しかしながら、上記したビームスプリッタ組立品１００は、スペーサ１０３のサイズが大きくなってしまうため、全体のサイズも大きくなってしまうという不具合があった。【００１１】
具体的には、スペーサ１０３は、ビームスプリッタ１０１を突出片１０３ｂで支持する構成であるため、厚み方向に見たときに、ビームスプリッタ１０１の外縁と、突出片１０３ｂとが重なる構成となる。また、スペーサ１０３において、突出片１０３ｂは、環状部１０３ａから径方向内方に突出している。そのため、スペーサ１０３（環状部１０３ａ）の外形は、ビームスプリッタ１０１の外形よりも大きくなってしまう。そして、ホルダ１０２において、外径の大きいスペーサ１０３を配置するためのスペースが必要となり、サイズが大きくなってしまう。【００１２】
本発明は、上記実情に鑑みてなされたものであり、ビームスプリッタがホルダの面精度の影響を受けないようにでき、かつ、小型化を実現できるビームスプリッタ組立品を提供することを目的とする。
【課題を解決するための手段】
【００１３】
（１）本発明に係るビームスプリッタ組立品は、ビームスプリッタと、ホルダと、第１スペーサとを備える。前記ホルダは、ビームスプリッタを保持する。前記第１スペーサは、前記ビームスプリッタ及び前記ホルダの間に配置される。前記第１スペーサは、前記ビームスプリッタの周縁部に対向しており、その一部が折り曲げられて構成される３つの折曲部により、前記ビームスプリッタを３点支持する。【００１４】
このような構成によれば、ビームスプリッタ組立品において、ビームスプリッタは、第１スペーサの３つの折曲部によって３点支持される。
そのため、ビームスプリッタがホルダの面精度の影響を受けないようにできる。
また、第１スペーサは、ビームスプリッタの周縁部に対向している。そして、各折曲部は、第１スペーサの一部が折り曲げられることで構成される。【００１５】
そのため、第１スペーサの外形がビームスプリッタの外形より大きくなることを抑制できる。そして、第１スペーサを設けるためのホルダのサイズが大きくなることを抑制できる。
その結果、ビームスプリッタ組立品の小型化を実現できる。【００１６】
（２）また、前記第１スペーサには、前記３つの折曲部に対応付けて、当該第１スペーサの一部を折り曲げる際の折曲位置を表す第１折曲補助線が形成されていてもよい。【００１７】
このような構成によれば、第１折曲補助線に沿って第１スペーサの一部を折り曲げることで、各折曲部を構成できる。
そのため、第１スペーサにおいて、各折曲部を簡易かつ正確に構成できる。【００１８】
（３）また、前記第１スペーサは、前記ビームスプリッタの周縁部に対向する円環状の第１本体を有してもよい。前記第１スペーサでは、前記第１本体の中心に対して周方向に等間隔で前記３つの折曲部が形成されていてもよい。【００１９】
このような構成によれば、第１スペーサの３つの折曲部によって、ビームスプリッタをバランスよく支持できる。
そのため、ビームスプリッタを一層安定した状態に保つことができる。【００２０】
（４）また、前記ビームスプリッタ組立品は、補償板と、第２スペーサとをさらに備えてもよい。前記補償板は、前記ホルダに保持される。前記第２スペーサは、前記補償板及び前記ホルダの間に配置される。前記第２スペーサは、前記補償板の周縁部に対向しており、その一部が折り曲げられて構成される少なくとも１つの折曲部により、前記補償板を光軸に対して傾斜させて支持する。【００２１】
このような構成によれば、第２スペーサは、ビームスプリッタの周縁部に対向している。そして、少なくとも１つの折曲部は、第２スペーサの一部が折り曲げられることで構成される。【００２２】
そのため、第２スペーサの外形がビームスプリッタの外形より大きくなることを抑制できる。そして、第２スペーサを設けるためのホルダのサイズが大きくなることを抑制できる。
また、第２スペーサを、ホルダにセットしやすい形状に形成できる。
そのため、第２スペーサをホルダにセットする際の作業性を向上できる。【００２３】
（５）また、前記第２スペーサには、前記少なくとも１つの折曲部に対応付けて、当該第２スペーサの一部を折り曲げる際の折曲位置を表す第２折曲補助線が形成されていてもよい。【００２４】
このような構成によれば、第２折曲補助線に沿って第２スペーサの一部を折り曲げることで、折曲部を構成できる。
そのため、第２スペーサにおいて、折曲部を簡易かつ正確に構成できる。【００２５】
（６）また、前記第２スペーサは、前記補償板の周縁部に対向する円環状の第２本体を有してもよい。前記第２スペーサでは、前記第２本体の中心に対する周方向に前記少なくとも１つの折曲部が形成されていてもよい。【００２６】
このような構成によれば、第２スペーサにおいて、折曲部を適切な位置に配置できる。
【発明の効果】
【００２７】
本発明によれば、ビームスプリッタは、第１スペーサの３つの折曲部によって３点支持される。そのため、第１スペーサの３つの折曲部によって、ビームスプリッタがホルダの面精度の影響を受けないようにできる。また、第１スペーサは、ビームスプリッタの周縁部に対向している。そのため、第１スペーサの外形がビームスプリッタの外形より大きくなることを抑制できる。その結果、ビームスプリッタ組立品の小型化を実現できる。
【図面の簡単な説明】
【００２８】
【図１】本発明の一実施形態に係るビームスプリッタ組立品を備える分析装置の構成を示した概略図である。
【図２】図１のビームスプリッタ組立品の構成を示した斜視図である。
【図３】図１のビームスプリッタ組立品の分解斜視図である。
【図４】図３のスペーサを構成するスペーサ部材を示した正面図である。
【図５】図４のスペーサ部材の外側突出片が折り曲げられた状態を拡大して示した斜視図である。
【図６】図２のビームスプリッタ組立品を厚み方向に見たときにおける、ビームスプリッタ及びスペーサの配置関係を概略的に示した図である。
【図７】従来のビームスプリッタ組立品の構成を示した斜視図である。
【図８】従来のビームスプリッタ組立品の分解斜視図である。
【図９】図７のビームスプリッタ組立品を厚み方向に見たときにおける、ビームスプリッタ及びスペーサの配置関係を概略的に示した図である。
【発明を実施するための形態】
【００２９】
１．フーリエ変換赤外分光光度計の構成
図１は、本発明の一実施形態に係るビームスプリッタ組立品７を備える分析装置１の構成を示した概略図である。
分析装置１は、フーリエ変換赤外分光光度計（ＦＴ−ＩＲ）であって、筐体２と、ヒータ３と、干渉部４と、試料室５と、検出器６とを備えている。
筐体２は、中空状のボックス形状に形成されている。
ヒータ３は、筐体２内に収容（配置）されている。ヒータ３は、例えば、セラミックヒータからなり、通電されることにより、赤外光（測定光）を出射する。
【００３０】
干渉部４は、筐体２内に配置されている。干渉部４は、赤外干渉光を生成するための機構であって、光路において、ヒータ３の下流側に配置されている。干渉部４は、ビームスプリッタ組立品７と、固定鏡８と、移動鏡９と、駆動部１０とを備えている。
【００３１】
ビームスプリッタ組立品７は、ヒータ３と間隔を隔てて配置されている。ビームスプリッタ組立品７は、ビームスプリッタ２２を備えている。ビームスプリッタ２２は、入射する光の一部を反射しつつ、入射する光の残りを透過するように構成されている。なお、ビームスプリッタ組立品７の詳細な構成については、後述する。
固定鏡８は、ビームスプリッタ組立品７を挟んで、ヒータ３と反対側に配置されている。固定鏡８は、一定の位置に固定されるように配置されている。
【００３２】
移動鏡９は、ビームスプリッタ組立品７及び固定鏡８と間隔を隔てて配置されている。移動鏡９は、ビームスプリッタ組立品７と移動鏡９とを結ぶ方向において移動可能に構成されている。
駆動部１０は、例えば、ボイスコイルモータなどからなり、移動鏡９に駆動力を付与するように構成されている。
なお、干渉部４と対向する筐体２の部分には、光が通過するための図示しない通過窓が形成されている。
【００３３】
試料室５は、筐体２と間隔を隔てて配置されている。試料室５は、中空状のボックス形状に形成されており、内部に図示しない試料を収容している。また、光路において、試料室５の上流側には、反射鏡１２が配置されている。
検出器６は、試料室５と間隔を隔てて配置されている。検出器６は、例えば、ＭＣＴ（Hgcdte）検出器、ＤＬａＴＧＳ（Deuterated L-Alanine Triglycine Sulphate）検出器、ＴＧＳ（硫酸三グリシン:Triglycine Sulfate）検出器、ＤＴＧＳ（水素を重水素化したTGS:Deuterium Tri-Glycine Sulfate）検出器などからなる。
【００３４】
分析装置１における試料の分析では、ヒータ３から赤外光が出射される。そして、赤外光は、ビームスプリッタ２２に入射する。ビームスプリッタ２２に入射した赤外光は、一部がビームスプリッタ２２を透過して固定鏡８に入射し、残りがビームスプリッタ２２で反射されて移動鏡９に入射する。このとき、移動鏡９は、駆動部１０から駆動力が付与されることにより移動する。
【００３５】
固定鏡８で反射された赤外光は、ビームスプリッタ２２で反射されて反射鏡１２に向かう。また、移動鏡９で反射された赤外光は、ビームスプリッタ２２を透過して反射鏡１２に向かう。これにより、固定鏡８で反射された赤外光、及び、移動鏡９で反射された赤外光は、合成されて赤外干渉光となり、筐体２の外部に出射されて反射鏡１２に向かう。そして、合成された赤外光は、反射鏡１２で反射されて、試料室５に入射する。
試料室５に入射した赤外光は、試料室５内の試料に照射される。そして、試料からの反射光又は透過光が試料室５から出射して、検出器６に入射する。
【００３６】
検出器６は、入射した赤外光に応じたインターフェログラムを、検出信号として出力する。分析装置１では、検出器６からの検出信号がフーリエ変換されることにより、スペクトルの強度分布データが作成される。そして、そのデータに基づいて、試料が分析される。
【００３７】
２．ビームスプリッタ組立品の構成
図２は、ビームスプリッタ組立品７の構成を示した斜視図である。図３は、ビームスプリッタ組立品７の分解斜視図である。
【００３８】
ビームスプリッタ組立品７は、ホルダ２１と、ビームスプリッタ２２と、補償板２３と、第１スペーサ２４と、第２スペーサ２５と、１対の固定板２６とを備えている。
【００３９】
ホルダ２１は、所定の厚みを有する平板状に形成されている。ホルダ２１には、開口２１１と、３つの第１凹部２１２と、３つの第２凹部２１３とが形成されている。また、ホルダ２１には、フランジ２１４が設けられている。
開口２１１は、厚み方向（図３の左右方向）に見たときの形状が円形状であって、ホルダ２１の中央部を厚み方向に貫通している。
【００４０】
フランジ２１４は、ホルダ２１における内周面（ホルダ２１の開口２１１が形成された部分の内周面）に設けられている。フランジ２１４は、厚み方向に見たときの形状が円環状であって、ホルダ２１における内周面の中央部から、開口２１１の径方向内側に向かって突出している。
【００４１】
各第１凹部２１２は、ホルダ２１における内周面のうち、厚み方向一方側（図３における左方側）の内周面に形成されている。各第１凹部２１２は、ホルダにおける内周面から径方向外側に向かって窪んでいる。３つの第１凹部２１２は、開口２１１の中心に対する周方向において等間隔（１２０°間隔）で設けられている。
【００４２】
各第２凹部２１３は、ホルダ２１における内周面のうち、厚み方向他方側（図３における右方側）の内周面に形成されている。各第２凹部２１３は、ホルダにおける内周面から径方向外側に向かって窪んでいる。３つの第２凹部２１３は、開口２１１の中心に対する周方向において等間隔（１２０°間隔）で設けられている。厚み方向において、３つの第２凹部２１３は、３つの第１凹部２１２と同じ位置に形成されている。なお、図３では、３つの第２凹部２１３のうち、１つの第２凹部２１３のみが表れている。
【００４３】
ビームスプリッタ２２は、ホルダ２１に対して、厚み方向一方側（図３の左方側）に配置されている。ビームスプリッタ２２は、所定の厚み（ホルダ２１の厚みよりも薄い厚み）を有する円板状に形成されている。ビームスプリッタ２２の径は、ホルダ２１の開口２１１の径よりもわずかに小さい。
【００４４】
補償板２３は、ホルダ２１に対して厚み方向他方側（図３における右方側）に配置されている。補償板２３は、所定の厚み（ホルダ２１の厚みよりも薄い厚み）を有する円板状に形成されている。補償板２３の径は、ビームスプリッタ２２の径とほぼ同一である。
【００４５】
第１スペーサ２４は、ホルダ２１とビームスプリッタ２２との間に配置されている。第１スペーサ２４は、環状のシート状の部材であって、ビームスプリッタ組立品７が組み立てられる際には、その一部が折り曲げられた状態で、ホルダ２１とビームスプリッタ２２との間に設けられる。
【００４６】
第２スペーサ２５は、ホルダ２１と補償板２３との間に配置されている。第２スペーサ２５は、環状のシート状の部材であって、ビームスプリッタ組立品７が組み立てられる際には、その一部が折り曲げられた状態で、ホルダ２１と補償板２３との間に設けられる。
各固定板２６は、円環状の取付部２６１と、取付部２６１から内方側に突出する３つの固定片２６２とを備えている。
このように構成されるビームスプリッタ組立品７において、第１スペーサ２４及び第２スペーサ２５は、同一の部材（スペーサ部材３０）から構成される。
【００４７】
図４は、第１スペーサ２４及び第２スペーサ２５を構成するスペーサ部材３０を示した正面図である。スペーサ部材３０は、その一部が折り曲げられることで、第１スペーサ２４又は第２スペーサ２５として用いられる。
【００４８】
スペーサ部材３０は、厚みの薄い環状であって、シート状の部材である。スペーサ部材３０は、例えば、ＰＥＴ（ポリエチレンテレフタレート）などの樹脂材料からなる。スペーサ部材３０の厚みは、フランジ２１４の平面度よりも十分に大きい。スペーサ部材３０は、本体３１と、３つの外側突出片３２と、３つの内側突出片３３とを備えている。
本体３１は、円環状に形成されている。本体３１の外径は、ビームスプリッタ２２の径、及び、補償板２３の径よりもわずかに小さい。
【００４９】
各外側突出片３２は、本体３１から径方向外側に向かって突出している。各外側突出片３２は、正面視矩形状に形成されている。３つの外側突出片３２は、本体３１の中心に対して周方向に等間隔（１２０°間隔）で設けられている。各外側突出片３２には、折曲補助線３２１が形成されている。
【００５０】
折曲補助線３２１は、外側突出片３２の中央部（中央部からやや本体３１側）において、突出方向と直交する方向に延びている。折曲補助線３２１は、外側突出片３２の厚み方向にわずかに窪む微小な溝である。後述するように、折曲補助線３２１は、外側突出片３２を折り曲げる際の折り曲げ位置を表している。
【００５１】
各内側突出片３３は、本体３１から径方向内側に向かって突出している。各内側突出片３３は、正面視矩形状に形成されている。３つの内側突出片３３は、本体３１の中心に対して周方向に等間隔（１２０°間隔）で設けられている。３つの内側突出片３３は、径方向において、３つの外側突出片３２と並ぶように設けられている。
【００５２】
そして、スペーサ部材３０における３つの外側突出片３２の全てを、折曲補助線３２１に沿って折り曲げることで、第１スペーサ２４が構成される。また、スペーサ部材３０における３つの外側突出片３２のうち、１つの外側突出片３２を、折曲補助線３２１に沿って折り曲げることで、第２スペーサ２５が構成される。
【００５３】
図５は、スペーサ部材３０の外側突出片３２が折り曲げられた状態を拡大して示した斜視図である。
スペーサ部材３０の外側突出片３２を、折曲補助線３２１に沿って折り曲げると、外側突出片３２における折曲補助線３２１よりも先端側の部分は、折り返されて、外側突出片３２の基端部（折曲補助線３２１よりも内側の部分）、本体３１及び内側突出片３３に当接する。外側突出片３２における折曲補助線３２１よりも先端側の部分は、折り曲げられることで折曲部４１として構成される。
【００５４】
図３に示すように、第１スペーサ２４では、３つの折曲部４１が構成されている。第１スペーサ２４において、折曲部４１は、本体３１の周方向に沿って等間隔で配置されている。第１スペーサ２４において、各折曲部４１は、本体３１と密接している（重なっている）。第１スペーサ２４は、各折曲部４１がビームスプリッタ２２に対向するようにして（各折曲部４１がビームスプリッタ２２に対向する向きで）、ビームスプリッタ２２とホルダ２１との間に配置される。
【００５５】
第２スペーサ２５では、１つの折曲部４１が構成されている。第２スペーサ２５において、折曲部４１は、本体３１の周方向に沿う位置に配置されており、本体３１と密接している（重なっている）。第２スペーサ２５は、各折曲部４１が補償板２３に対向するようにして（各折曲部４１が補償板２３に対向する向きで）、補償板２３とホルダ２１との間に配置される。
【００５６】
このように、ビームスプリッタ組立品７では、同一部材であるスペーサ部材３０の一部（外側突出片３２）が異なるパターンで折り曲げられることにより、第１スペーサ２４及び第２スペーサ２５が構成される。そして、第１スペーサ２４は、ビームスプリッタ２２とホルダ２１との間に配置され、第２スペーサ２５は、補償板２３とホルダ２１との間に配置される。
【００５７】
３．ビームスプリッタ組立品の組み立て
ビームスプリッタ組立品７を組み立てる際には、ホルダ２１の開口２１１の一方側（図８の左方側）から第１スペーサ２４が内方に挿入されるとともに、ホルダ２１の開口２１１の他方側（図８の右方側）から第２スペーサ２５が内方に挿入される。
【００５８】
このとき、第１スペーサ２４の各折曲部４１は、開口２１１の一方側（図８の左方側）を向いている。そして、第１スペーサ２４の各折曲部４１の径方向外側端部は、第１凹部２１２内に配置される。また、第２スペーサ２５の折曲部４１は、開口２１１の他方側（図８の右方側）を向いている。そして、第２スペーサ２５の折曲部４１及び外側突出片３２は、第２凹部２１３内に配置される。
【００５９】
そして、この状態から、開口２１１の一方側（図８の左方側）からビームスプリッタ１０１が内方に挿入されるとともに、開口２１１の他方側（図８の右方側）から補償板２３が内方に挿入される。
【００６０】
この状態で、ホルダ２１の両側（図８の左右方向両側）に対して１対の固定板２６が固定される。具体的には、各固定板２６の取付部２６１が、ねじ４２によってホルダ２１に固定される。これにより、ビームスプリッタ２２及び補償板２３のそれぞれが、固定板２６の固定片２６２によって押圧されて、ホルダ２１に固定される。
【００６１】
このようにして、ビームスプリッタ組立品７が組み立てられた状態において、第１スペーサ２４は、ビームスプリッタ２２の周縁部に対向しており、第２スペーサ２５は、補償板２３の周縁部に対向している。ビームスプリッタ２２の周縁部は、第１スペーサ２４の各折曲部４１に当接している。これにより、ビームスプリッタ２２は、第１スペーサ２４によって３点支持されている。また、補償板２３の周縁部は、第２スペーサ２５の本体３１に当接するとともに、その一部が、第２スペーサ２５の折曲部４１に当接している。そのため、補償板２３は、ビームスプリッタ２２における平面に対して傾斜する状態、すなわち、光軸に対して傾斜する状態で支持されている。
４．ビームスプリッタ及び第１スペーサの配置関係
図６は、ビームスプリッタ組立品７を厚み方向に見たときにおける、ビームスプリッタ２２及び第１スペーサ２４の配置関係を概略的に示した図である。
【００６２】
厚み方向に見たときに、第１スペーサ２４の外縁は、ビームスプリッタ２２の外縁に対してわずかに内方に配置されている。すなわち、厚み方向にみたときに、第１スペーサ２４は、ビームスプリッタ２２と重なっている（ビームスプリッタ２２とオーバーラップしている）。このように、ビームスプリッタ組立品７では、ビームスプリッタ２２を３点支持するための第１スペーサ２４の外形が小さくなっている。
【００６３】
５．作用効果
（１）本実施形態によれば、図３に示すように、ビームスプリッタ組立品７において、ビームスプリッタ２２は、第１スペーサ２４の３つの折曲部４１によって３点支持される。
【００６４】
そのため、ビームスプリッタ２２がホルダ２１の面精度の影響を受けないようにできる（ビームスプリッタ２２がホルダ２１の面精度の影響により変形することを抑制できる）。
また、第１スペーサ２４は、ビームスプリッタ２２の周縁部に対向している。各折曲部４１は、各外側突出片３２が折り曲げられることで構成される。
【００６５】
そのため、第１スペーサ２４の外形がビームスプリッタ２２の外形より大きくなることを抑制できる。そして、第１スペーサ２４を設けるためのホルダ２１のサイズが大きくなることを抑制できる。
その結果、ビームスプリッタ組立品７の小型化を実現できる。
【００６６】
（２）また、本実施形態によれば、図４に示すように、第１スペーサ２４（スペーサ部材３０）では、折曲部４１に対応付けるように、外側突出片３２を折り曲げる際の折曲位置を表す折曲補助線３２１が形成されている。
【００６７】
そのため、スペーサ部材３０における３つの外側突出片３２の全てを、折曲補助線３２１に沿って折り曲げることで、第１スペーサ２４の各折曲部４１を構成できる。
その結果、第１スペーサ２４において、各折曲部４１を簡易かつ正確に構成できる。
【００６８】
（３）また、本実施形態によれば、図３に示すように、第１スペーサ２４は、ビームスプリッタ２２の周縁部に対向する円環状の本体３１を備えている。第１スペーサ２４では、本体３１の中心に対して周方向に等間隔（約１２０°間隔）で３つの折曲部４１が形成されている。
【００６９】
そのため、第１スペーサ２４の３つの折曲部４１によって、ビームスプリッタ２２をバランスよく支持できる。
その結果、ビームスプリッタ２２を一層安定した状態に保つことができる。
【００７０】
（４）また、本実施形態によれば、図３に示すように、ビームスプリッタ組立品７において、第２スペーサ２５は、ビームスプリッタ２２の周縁部に対向している。そして、折曲部４１は、外側突出片３２が折り曲げられることで構成される。
【００７１】
そのため、第２スペーサ２５の外形がビームスプリッタの外形より大きくなることを抑制できる。そして、第２スペーサ２５を設けるためのホルダ２１のサイズが大きくなることを抑制できる。
【００７２】
また、第２スペーサ２５を、ホルダ２１にセットしやすい形状に形成できる。例えば、小さなフィルタ状の部材（フィルタ片）をホルダ２１にセットして、補償板２３を傾けた状態に保つことも可能であるが、このような部材の場合、部材が小さいため、ホルダ２１にセットする作業が煩雑化してしまう。第２スペーサ２５は、作業者の作業に適した大きさであるため、ホルダ２１に容易にセットすることが可能である。
このように、第２スペーサ２５によって補償板２３を支持する構成であるため、第２スペーサ２５をホルダ２１にセットする際の作業性を向上できる。
【００７３】
（５）また、本実施形態によれば、第２スペーサ２５（スペーサ部材３０）には、折曲部４１に対応付けるように、外側突出片３２を折り曲げる際の折曲位置を表す折曲補助線３２１が形成されている。
【００７４】
そのため、スペーサ部材３０における１つの外側突出片３２を、折曲補助線３２１に沿って折り曲げることで、第２スペーサ２５の折曲部４１を構成できる。
その結果、第２スペーサ２５において、折曲部４１を簡易かつ正確に構成できる。
【００７５】
（６）また、本実施形態によれば、第２スペーサ２５において、折曲部４１は、本体３１の周方向に沿う位置に配置されており、本体３１と密接している。
そのため、第２スペーサ２５において、折曲部４１を適切な位置に配置できる。
【００７６】
６．変形例
以上の実施形態では、第１スペーサ２４では、３つの折曲部４１は、周方向に等間隔に配置されるとして説明した。しかし、第１スペーサ２４において、３つの折曲部４１の間隔を不均一にすることも可能である。
【００７７】
また、以上の実施形態では、第２スペーサ２５において、折曲部４１は、１つのみ構成されるとして説明した。しかし、第２スペーサ２５において、２つの折曲部４１が周方向に沿って構成されていてもよい。
【００７８】
また、以上の実施形態では、スペーサ部材３０の折曲補助線３２１は、微小な溝であるとして説明した。しかし、スペーサ部材３０を折曲補助線３２１を、ミシン目によって構成してもよく、また、単なる線によって構成してもよい。
【符号の説明】
【００７９】
７        ビームスプリッタ組立品
２１      ホルダ
２２      ビームスプリッタ
２３      補償板
２４      第１スペーサ
２５      第２スペーサ
３０      スペーサ部材
３１      本体
３２      外側突出片
４１      折曲部
３２１    折曲補助線
【図１】
0006725068.tif 000002
【図２】
0006725068.tif 000003
【図３】
0006725068.tif 000004
【図４】
0006725068.tif 000005
【図５】
0006725068.tif 000006
【図６】
0006725068.tif 000007
【図７】
0006725068.tif 000008
【図８】
0006725068.tif 000009
【図９】
0006725068.tif 000010